【手続補正書】
【提出日】平成17年8月4日(2005.8.4)
【手続補正１】
【補正対象書類名】明細書
【補正対象項目名】全文
【補正方法】変更
【補正の内容】
【書類名】                明細書
【発明の名称】画像表示機能付きＩＰカメラ電話機
【特許請求の範囲】
【請求項１】
ネットワークに接続され、カメラと表示部を有する画像表示機能付きＩＰカメラ電話機において、
表示機能付相手装置と呼設定を完了した段階で、画像データを、ＲＴＰを用いて送受信する機能と、
受信した画像を表示部に表示させる機能と、
自己のカメラ画像またはネットワークに接続されたカメラ画像もしくはネットワークに接続された画像サーバからの画像のいずれかを選択する機能と
を有することを特徴とする画像表示機能付きＩＰカメラ電話機。
【請求項２】
発側ＩＰカメラ電話機のＩＰアドレスを認識する手段または発側ＩＰカメラ電話機からの画像選択コマンドを認識する機能を有し、着信時に認識した発側ＩＰアドレスまたは発側ＩＰカメラ電話機からの画像選択コマンドによって、自己のカメラの画像またはネットワークに接続されたカメラの画像もしくはネットワークに接続された画像サーバからの画像のいずれかを選択して、発側に送信することを特徴とする請求項１に記載の画像表示機能付きＩＰカメラ電話機。
【請求項３】
発信時に、相手側カメラの画像または相手側のネットワークに接続されたカメラの画像もしくは相手側のネットワークに接続された画像サーバからの画像のいずれかを選択する画像選択コマンドを着側に送信することを特徴とする請求項１に記載の画像表示機能付きＩＰカメラ電話機。
【発明の詳細な説明】
【０００１】
【発明の属する技術分野】
本発明は、ＩＰ網に接続された画像表示機能付き通信装置に関する。すなわち、本発明は、画像表示機能付きＩＰカメラ電話機およびこの画像表示機能付きＩＰカメラ電話機を用いたＩＰ通信システムに関する。さらに、この発明は、ＩＰ網に接続されるＶｏＩＰエンドポイント制御を利用したＩＰカメラ電話機に関する。
【０００２】
【従来の技術】
ＩＰ網に接続された画像表示機能付き通信装置であるＩＰカメラ電話機を用いて画像を伝送し表示するＩＰ通信システムがある。このようなＩＰ通信システムを構成する従来のＩＰカメラ電話機の構成を、図２を用いて説明する。ＩＰカメラ電話機１は、主制御部１０と、メモリ１１と、マンマシンインタフェース制御部１２と、ハンドセット１３と、画像制御部１４と、表示部１５と、カメラインタフェース１６と、カメラ１７と、ＬＡＮ制御部１８と、ＬＡＮインタフェース１９と、入力手段２０とを有して構成される。
【０００３】
主制御部１０は、装置全体の制御を行う手段である。
【０００４】
メモリ１１は、制御プログラムの蓄積を行うフラッシュ（Ｆｌａｓｈ）ＲＯＭとワーク用のＳＤＲＡＭにより構成される。
【０００５】
マンマシンインタフェース制御部１２は、ダイヤルキー、フックおよびファンクションキーなどのマンマシンインタフェースの制御を行う手段である。
【０００６】
ハンドセット１３は、音声の入出力機能を有している。
【０００７】
画像制御部１４は、カメラインタフェース１６からの映像入力、表示部１５への映像出力および画像の圧縮および伸張を行う。
【０００８】
表示部１５は、ＬＣＤなどから構成され、カラー画像表示機能を有している。
【０００９】
カメラインタフェース１６は、映像入力用カメラ接続インタフェースである。
【００１０】
カメラ１７は、映像入力用のカメラである。
【００１１】
ＬＡＮ制御部１８は、ネットワークプロトコルを行う。
【００１２】
ＬＡＮインタフェース１９は、ネットワーク接続インタフェースである。
【００１３】
入力手段２０は、数値キーや操作キー、フックなどの操作情報を入力する手段である。
【００１４】
従来のＩＰカメラ電話機の機能構成を、図５を用いて説明する。表示機能付きＩＰカメラ電話機１は、主制御機能１０Ｆと、キー入力制御機能１２Ｆ１と、音声制御機能１２Ｆ２と、表示制御機能１４Ｆ１と、画像入力機能１４Ｆ２と、ＴＣＰ／ＩＰ制御機能１８Ｆ１と、呼制御機能１８Ｆ２と、ＶｏＩＰ制御機能１８Ｆ３と、ＬＡＮ制御機能１９Ｆとから構成される。
【００１５】
主制御機能１０Ｆは、装置全体を制御する機能である。
【００１６】
キー入力制御１２Ｆ１は、数値キー、操作キー、フックなどによるユーザ操作の取り込みを行う機能で、数値キー、操作キー、フックなどの状態を監視し、数値キーや操作キーの押し下げ、オフフックなど状態に変化があった場合、呼制御機能１８Ｆ２へと通知する機能である。
【００１７】
音声制御１２Ｆ２は、マイク入力、スピーカ出力およびボコーダ／デコーダ制御する機能で、呼制御機能１８Ｆ２からマイク起動要求を受けた場合、マイク入力を起動して入力された音声をボコーダにより圧縮し、ＶｏＩＰ制御機能１８Ｆ３からの音声データをデコーダで伸張してスピーカに出力する機能である。さらに、呼制御機能１８Ｆ２からそれぞれ停止要求を受けた場合、マイク入力、スピーカ出力およびボコーダ／デコーダ制御を停止させる機能である。
【００１８】
表示制御機能１４Ｆ１は、表示部への各種表示の制御およびＶｏＩＰ制御機能１８Ｆ３からの画像データの伸張・ＬＣＤへの表示などを行う機能である。
【００１９】
画像入力機能１４Ｆ２は、カメラ１７からの画像の取り込みおよび画像データの圧縮などを行う機能であり、カメラを起動させ画像を取り込みその画像データを圧縮する機能を有している。
【００２０】
ＴＣＰ／ＩＰ制御機能１８Ｆ１は、ＴＣＰ／ＩＰ、ＵＤＰ／ＩＰなどのプロトコル制御行う機能で、送信するデータをＴＣＰ／ＩＰ、ＵＤＰ／ＩＰなどのプロトコルによってパケット化するとともに、受信したＴＣＰ／ＩＰ、ＵＤＰ／ＩＰ等のプロトコルパケットを解析し、ＶｏＩＰ制御機能１８Ｆ３へデータを渡す機能である。
【００２１】
呼制御機能１８Ｆ２は、呼の管理、ＶｏＩＰ制御機能１８Ｆ３への指示など行う機能で、ユーザインタフェースブロックを管理しＶｏＩＰ制御機能１８Ｆ３への発信指示またはＶｏＩＰ制御機能１８Ｆ３からの着信通知による着信状態の表示など、ユーザとＶｏＩＰ制御機能１８Ｆ３との間の橋渡しの役割を負うとともに、音声、画像データの橋渡しも行う機能である。
【００２２】
ＶｏＩＰ制御機能１８Ｆ３は、ＶｏＩＰ（たとえばＨ．３２３）の制御、音声・画像情報のパケット化処理を行う機能で、エンドツウエンド（たとえばＨ．２２５．０やＨ．２４５）プロトコル全般を処理して音声、画像の伝送を可能にする機能である。
【００２３】
イーサネット制御機能１９Ｆは、イーサネット（登録商標）との間の送受信制御、ＡＲＰ機能などを行う機能で、ＴＣＰ／ＩＰ制御機能１８Ｆ１から受信したパケットをフレーム化しイーサネット上へ送出する機能である。
【００２４】
このように従来の画像表示機能付きＩＰカメラ電話機は、発側から着信があり、着側が応答して通話状態となったときにカメラで撮影した画像を送信するように構成されている。
【００２５】
このような画像表示機能付きＩＰカメラ電話機を用いて、ＩＰ網を介して互いに接続された画像表示機能付きＩＰカメラ電話機間で通信する場合には、着側が応答してＩＰ網上に通話状態が確立した後に画像データを相互に転送するように構成されている。したがって、着信があることを認識した着側では、通話状態が確立していない応答前に画像によって発信者を特定することができなかった。
【００２６】
既に提供されているナンバーディスプレイサービスなどでは、発側の端末装置の情報を着側の端末装置の表示部に表示するにすぎず、その端末装置の使用者は未知のままであり、着側は、着信後応答前に発信者を視認することができないという問題がある。
【００２７】
さらに、ＩＰ網を介して互いに接続された画像表示機能付きＩＰカメラ電話機間で通信する場合であっても、着側の応答後に着側の画像情報を得ているので、発信者は、着信後応答前の期間は電話を掛けた相手が在席しているか席を外しているかを確認することができなかった。すなわち、着信者が応答しない場合、発信者は、相手が席にいないのか応答していないのかを判別することができなかった。
【００２８】
【発明が解決しようとする課題】
本発明は、画像表示機能付き通信装置において、着信する側が応答前に相手側が在席か不在かを発信者が確認できるようにすることを目的とする。
【００２９】
また、本発明は、画像表示機能付き通信装置において、着側が着信時に応答前に発信者を視認することができるようにすることを目的とする。
【００３０】
【課題を解決するための手段】
上記課題を解決するために、本発明は、カメラと表示部を有する画像表示機能付きＩＰカメラ電話機において、表示機能付相手装置と呼設定を完了した段階で、画像データを、ＲＴＰを用いて送受信し、受信した画像を表示部に表示させるようにした。
【００３１】
すなわち、本発明は、ＬＡＮもしくはＷＡＮなどのネットワークに接続され、カメラと表示部を有する画像表示機能付きＩＰカメラ電話機において、表示機能付相手装置と呼設定を完了した段階で、画像データを、ＲＴＰを用いて送受信し、受信した画像を表示部に表示させるようにした。
【００３２】
さらに、本発明は、上記に画像表示機能付きＩＰカメラ電話機おいて、着信時に、自己のカメラの画像またはネットワークに接続されたカメラの画像もしくはネットワークに接続された画像サーバからの画像のいずれかを、発側ＩＰアドレスまたは発側ＩＰカメラ電話機からの画像選択コマンドによって選択して発側に送信するようにした。
【００３３】
さらに、本発明は、前記に画像表示機能付きＩＰカメラ電話機おいて、通話状態に移行した段階で、着信時に選択した画像を自己のカメラの画像に切り替えるようにした。
【００３４】
本発明は、上記画像表示機能付きＩＰカメラ電話機において、発信時に、相手側カメラの画像または相手側のネットワークに接続されたカメラの画像もしくは相手側のネットワークに接続された画像サーバからの画像のいずれかを選択する画像選択コマンドを着側に送信するようにした。
【００３５】
本発明は、ネットワークに接続され、カメラと表示部を有する画像表示機能付きＩＰカメラ電話機において、表示機能付相手装置と呼設定を完了した段階で、画像データをＲＴＰを用いて送受信する機能と、受信した画像を表示部に表示させる機能と、自己のカメラ画像またはネットワークに接続されたカメラ画像もしくはネットワークに接続された画像サーバからの画像のいずれかを選択する機能とを備えた。
【００３６】
本発明は、上記画像表示機能つきＩＰカメラ電話機において、発側ＩＰカメラ電話機のＩＰアドレスを認識する手段を有し、認識したＩＰアドレスによって、自己のカメラ画像またはネットワークに接続されたカメラ画像もしくはネットワークに接続された画像サーバからの画像のいずれかを選択するようにした。
【００３７】
本発明は、上記画像表示機能つきＩＰカメラ電話機において、発側ＩＰカメラ電話機からの画像選択コマンドを認識する機能を有し、認識した画像選択コマンドによって、自己のカメラ画像またはネットワークに接続されたカメラ画像もしくはネットワークに接続された画像サーバからの画像のいずれかを選択するようにした。
【００３８】
本発明は、上記画像表示機能付きＩＰカメラ電話機において、発信時に、相手側カメラの画像または相手側のネットワークに接続されたカメラの画像もしくは相手側のネットワークに接続された画像サーバからの画像のいずれかを選択する画像選択コマンドを着側に送信する機能を備えた。
【００３９】
このように、通話状態となる前段階で画像データを送受信および表示できる装置とすることにより、着側が応答する以前に着側装置の画面上に発側の映像を表示することができ、また、着側が応答する以前に発側装置の画面上に着側の映像を表示することができる。
【００４０】
発側装置に表示する画像は、着側装置付随のカメラ映像の外に、同一ネットワーク上にある別のカメラ装置からの映像を選択することもできる。
【００４１】
【発明の実施の形態】
本発明にかかる画像表示機能付きＩＰカメラ電話機を用いて構成した、画像表示機能付きＩＰ電話通信システムの構成を、図１を用いて説明する。
【００４２】
画像表示機能付きＩＰ電話通信システムは、イーサネット（登録商標）などのＬＡＮもしくはＷＡＮからなるネットワーク（ＩＰ網）に接続された複数の画像表示機能付きＩＰカメラ電話機１−１〜１−８と、監視用カメラ３−１．３−２と、画像サーバ５とから構成される。
【００４３】
例えば、画像表示機能付きＩＰカメラ電話機１−１〜１−４と監視用カメラ３−１は、室Ａに設置され、画像表示機能付きＩＰカメラ電話機１−５〜１−８と監視用カメラ３−２と画像サーバ５は、室Ｂに設置される。
【００４４】
画像表示機能付きＩＰカメラ電話機１は、ＩＰ網上に直接接続可能なＩＰ電話機であり、１０／１００ＢＡＳＥイーサネットに接続可能に構成される。画像表示機能付きＩＰカメラ電話機１は、例えばＭＰＥＧ４圧縮・伸張機能を有するとともに、メール機能、Ｗｅｂ機能を有する。さらに、画像表示機能付きＩＰカメラ電話機１は、カラーカメラおよびカラーＬＣＤを搭載したテレビ電話機であり、一体型に構成されたカメラまたはデジタルビデオカメラ・ＣＣＤカメラなどの外付け汎用カメラを有している。
【００４５】
監視用カメラ３は、室内などの全体を写すことが可能なカメラであり、画像配信機能付きカメラまたはデジタルビデオカメラ・ＣＣＤカメラなどの汎用カメラから構成される。
【００４６】
画像サーバ５は、ＰＣベースの画像配信サーバであり、広告画像などをマルチキャスト配信可能な機能を有している。
【００４７】
図２を用いて、本発明にかかる画像表示機能付きＩＰカメラ電話機の構造を説明する。本発明にかかる画像表示機能付きＩＰカメラ電話機１は、上述した従来のＩＰカメラ電話機１と同じ構造を有している。本発明では、画像表示機能付きＩＰカメラ電話機１は、カメラ１７を電話機に一体に設けることを必須の要件としておらず、カメラインタフェース部１６に外部カメラとの接続機能を持たせることによって、図１の画像表示機能付きＩＰカメラ電話機１−１のように、外部カメラ２をカメラインタフェース１６を介して接続する構成であってもよい。
【００４８】
図３を用いて、本発明にかかる表示機能付きＩＰカメラ電話機の機能構成を説明する。表示機能付きＩＰカメラ電話機１は、主制御機能１０Ｆと、キー入力制御機能１２Ｆ１と、音声制御機能１２Ｆ２と、表示制御機能１４Ｆ１と、画像入力機能１４Ｆ２と、画像伝送制御機能１４Ｆ３と、ＴＣＰ／ＩＰ制御機能１８Ｆ１と、呼制御機能１８Ｆ２と、ＶｏＩＰ制御機能１８Ｆ３と、ＬＡＮ制御機能１９Ｆとから構成される。
【００４９】
主制御機能１０Ｆは、装置全体を制御する機能である。
【００５０】
キー入力制御機能１２Ｆ１は、キー、フックなどによるユーザ操作の取り込みを行う機能で、キー、フックなどの状態を監視し、キーの押し下げ、オフフックなど状態に変化があった場合、呼制御機能１８Ｆ２へと通知する機能である。
【００５１】
音声制御機能１２Ｆ２は、マイク入力、スピーカ出力およびボコーダ／デコーダ制御する機能で、呼制御機能１８Ｆ２からマイク起動要求を受けた場合、マイク入力を起動して入力された音声をボコーダにより圧縮し、ＶｏＩＰ制御機能１８Ｆ３からの音声データをデコーダで伸張してスピーカに出力する機能である。さらに、呼制御機能１８Ｆ２からそれぞれ停止要求を受けた場合、マイク入力、スピーカ出力およびボコーダ／デコーダ制御を停止させる機能である。
【００５２】
表示制御機能１４Ｆ１は、ＬＣＤへの各種表示の制御およびＶｏＩＰからの画像データの伸張などを行う機能であり、画像伝送制御機能１４Ｆ３からの起動要求により、ＬＣＤ表示設定を行い表示を開始し、ＶｏＩＰ制御機能１８Ｆ３→画像伝送制御機能１４Ｆ３と経由されてきた画像データの伸張・ＬＣＤへの表示を行う機能である。また、画像伝送制御機能１４Ｆ３からの停止要求を受けた場合、ＬＣＤ表示を停止させる機能である。
【００５３】
画像入力機能１４Ｆ２は、カメラ１７からの画像の取り込みおよび画像データの圧縮などを行う機能であり、画像伝送制御機能１４Ｆ３からの起動要求により、カメラを起動させ画像を取り込みその画像データを圧縮して、画像伝送制御機能１４Ｆ３へと渡す機能である。また、画像伝送制御機能１４Ｆ３からの停止要求を受けた場合、カメラ受像を停止させる機能である。さらに、画像入力機能１４Ｆ２は、外部との接続機能を有することによって、外部に設けたカメラからの画像を取り込むことができる。
【００５４】
画像伝送制御機能１４Ｆ３は、発信時に、呼制御機能１８Ｆ２／ＶｏＩＰ制御機能１８Ｆ３により着側からのＡＬＥＲＴ受信が通知されると画像入力機能１４Ｆ２および表示制御機能１４Ｆ１に対して起動要求を通知する機能である。さらに、画像伝送制御機能１４Ｆ３は、それぞれ起動後、画像入力機能１４Ｆ２からの画像データをＶｏＩＰ制御機能１８Ｆ３に転送し、ＶｏＩＰ制御機能１８Ｆ３から受信した画像データは表示制御機能１４Ｆ１へと転送する機能である。
【００５５】
画像伝送制御機能１４Ｆ３は、着信時に、発側からの呼制御機能１８Ｆ２・ＶｏＩＰ制御部１８Ｆ３によってＳＥＴ  ＵＰ受信／ＡＬＥＲＴ返信が行われて後、表示制御機能１４Ｆ１へ起動要求を通知し、画像データを転送する機能である。また、画像伝送制御機能１４Ｆ３は、ＶｏＩＰ制御機能１８Ｆ３へ画像データの転送を開始する機能である。このときの画像データは設定により可変で他の端末装置／カメラなどから受信した画像データを折り返し送信したり自端末装置の映像を送信する場合は、画像入力機能１４Ｆ２への起動要求を通知し、画像入力機能１４Ｆ２からの画像データを送信する機能である。
【００５６】
さらに、画像伝送制御機能１４Ｆ３は、発信時と着信時に共通の機能として、呼制御機能１８Ｆ２／ＶｏＩＰ制御機能１８Ｆ３から通話状態となったことを通知されると、自端末装置のカメラが起動していない場合は、画像入力機能１４Ｆ２へ起動要求を通知し、画像入力機能１４Ｆ２からの画像データ転送を開始する機能を有している。オフフックや、通話相手からの通話切断により、通話が終了したことを呼制御機能１８Ｆ２／ＶｏＩＰ制御機能１８Ｆ３から通知されると、表示制御機能１４Ｆ１／画像入力機能１４Ｆ２に対して停止要求を通知する機能を有している。
【００５７】
ＴＣＰ／ＩＰ制御機能１８Ｆ１は、ＴＣＰ／ＩＰ、ＵＤＰ／ＩＰなどのプロトコル制御行う機能で、送信するデータをＴＣＰ／ＩＰ、ＵＤＰ／ＩＰなどのプロトコルによってパケット化するとともに、受信したＴＣＰ／ＩＰ、ＵＤＰ／ＩＰ等のプロトコルパケットを解析し、ＶｏＩＰ制御機能１８Ｆ３へデータを渡す機能である。
【００５８】
呼制御機能１８Ｆ２は、呼の管理、ＶｏＩＰへの指示など行う機能で、ユーザインタフェースブロックを管理しＶｏＩＰ制御機能１８Ｆ３への発信指示またはＶｏＩＰ制御機能１８Ｆ３からの着信通知による着信状態の表示など、ユーザとＶｏＩＰ制御機能１８Ｆ３との間の橋渡しの役割を負うとともに、音声、画像データの橋渡しも行う機能である。
【００５９】
ＶｏＩＰ制御機能１８Ｆ３は、ＶｏＩＰ（たとえばＨ．３２３）プロトコルの制御、音声・画像情報のパケット化処理を行う機能で、エンドツウエンド（たとえばＨ．２２５．０やＨ．２４５）プロトコル全般を処理し、ＶｏＩＰエンドポイント条件成立時または応答時に相手装置との間でＲＴＰチャネルを開設して音声、画像の伝送を可能にする機能である。
【００６０】
ＬＡＮ制御機能１９Ｆは、ＬＡＮと間の送受信制御、ＡＲＰ機能などを行う機能で、ＴＣＰ／ＩＰ制御機能１８Ｆ１から受信したパケットをフレーム化しＬＡＮ上へ送出する機能である。ＬＡＮ制御部１９Ｆが対向するネットワークとしては、ＬＡＮに限らずＷＡＮなどのように呼制御にＩＰアドレスやコマンドを用いる各種ネットワークであってもよい。
【００６１】
この送信画像識別機能は、図４に示した接続シーケンスにおいて実行される機能である。発信者が発側ＩＰカメラ電話機１−１を発信操作すると、発側ＩＰカメラ電話機１−１は着側ＩＰカメラ電話機１−５へ、画像用ＯＬＣ（ｆｏｒｗａｒｄ  Ｈ．２６３：ｒｅｖｅｒｓｅ  Ｈ．２６３）、音声用ＯＬＣ（ｆｏｒｗａｒｄ  Ｇ．７１１：ｒｅｖｅｒｓｅ  Ｇ．７１１）からなるＳＥＴＵＰ信号を送信する（Ｓ１）。ＳＥＴＵＰ信号を受けた着側ＩＰカメラ電話機１−５は発側ＩＰカメラ電話機１−１へ、画像用ＯＬＣ（ｆｏｒｗａｒｄ  Ｈ．２６３：ｒｅｖｅｒｓｅ  Ｈ．２６３）、音声用ＯＬＣ（ｆｏｒｗａｒｄ  Ｇ．７１１：ｒｅｖｅｒｓｅ  Ｇ．７１１）からなるＡＬＥＲＴ信号を送信する（Ｓ２）とともに、リンガを鳴動させて着信を通知する（Ｓ３）。さらにリングバックトーン（ＲＢＴ）音源を接続して（Ｓ４）、発側ＩＰカメラ電話機１−１へＲＴＰ（Ｇ．７１１）を送信する（Ｓ５）。発側ＩＰカメラ電話機１−１は、リングバックトーン（ＲＢＴ）を発信者に通知する（Ｓ６）。着側ＩＰカメラ電話機１−５は、着信時動画を取り出し（Ｓ７）、発側ＩＰカメラ電話機１−１へＲＴＰ（Ｈ．２６３）を送信する（Ｓ８）。発側ＩＰカメラ電話機１−１は受信した動画を表示部に表示する（Ｓ９）。同時に、発側ＩＰカメラ電話機１−１は、カメラを接続して発信時動画を取り出し（Ｓ１０）、着側ＩＰカメラ電話機１−５へＲＴＰ（Ｈ．２６３）を送信する（Ｓ１１）。着側ＩＰカメラ電話機１−５は受信した動画を表示部に表示する（Ｓ１２）。
【００６２】
このシーケンスにおいて、リングバックトーンの送受信、着信時動画の送受信、発信時動画の送受信の処理は同時に進行する。このようにして、発側では応答前に着側の状況を映像で知ることができ、着側では、着信があると発信者が誰であるかを映像で知ることができる。
【００６３】
このような状況で、着側がオフフックすると（Ｓ１３）、リングバックトーン（ＲＢＴ）と着信時動画を停止し、マイクと内蔵したカメラを接続する（Ｓ１４）。その後発側ＩＰカメラ電話機１−１に対して接続処理（ＣＯＮＮＥＣＴ）を行う（Ｓ１５）。
【００６４】
着側ＩＰカメラ電話機１−５は、着側の内蔵カメラの映像をＲＴＰ（Ｈ．２６３）として発側ＩＰカメラ電話機１−１へ送信する（Ｓ１６）。発側ＩＰカメラ電話機１−１は、着側カメラ映像を表示部に表示する（Ｓ１７）。
【００６５】
着側ＩＰカメラ電話機１−５は、マイクの音声をＲＴＰ（Ｇ．７１１）として発側ＩＰカメラ電話機１−１へ送信する（Ｓ１８）。発側ＩＰカメラ電話機１−１は、着側の音声をスピーカから出力する（Ｓ１９）。
【００６６】
発側ＩＰカメラ電話機１−１は、マイクを接続し（Ｓ２０）、ＲＴＰ（Ｇ．７１１）として着側ＩＰカメラ電話機１−５へ送信する（Ｓ２１）。着側ＩＰカメラ電話機１−５は、発側音声をスピーカから出力する（Ｓ２）。発側カメラ画像の送受信（Ｓ１０〜Ｓ１２）、着側カメラ画像の送受信（Ｓ１６、Ｓ１７）、着側音声の送受信（Ｓ１８、Ｓ１９）、発側音声の送受信（Ｓ２０〜Ｓ２２）は、同時に行われる。
【００６７】
以上のような機能を有する画像表示機能付きＩＰカメラ電話機１が有する特徴的な機能は、送信画像識別機能、発信画像選択機能、不在確認機能、発信者確認機能、表示画像切替機能、広告配信機能がある。
【００６８】
送信画像識別機能とは、着信時に相手のＩＰアドレスによりｆａｓｔ  ｃｏｎｎｅｃｔで接続する映像を、（１）自分自身の電話機のカメラによって撮影した映像、（２）システムに接続されている監視用カメラによって撮影した映像、（３）イーサネット上に接続されている画像サーバから取り出した映像のいずれかを自動選択して送信画像とする機能であり、着側動画像の送受信処理時（Ｓ７〜Ｓ９）のカメラ接続時に制御を行う。
【００６９】
発信画像選択機能とは、発信時に番号キーの操作または電話番号登録により、相手に送信する映像を選択する機能であり、（１）自分自身の電話機のカメラの映像、（２）システムに接続されている監視用カメラ３の映像、（３）イーサネット上に接続されている画像サーバ５の映像のいずれかを自動選択して発信画像とする機能であり、発側動画像の送受信処理時（Ｓ１０〜Ｓ１２）のカメラ接続時に制御を行う。
【００７０】
不在確認機能は、発側からのＳＥＴＵＰを受けた着側ＩＰカメラ電話機１−５が、ＡＬＥＲＴ返答後、監視用カメラ画像の取り込みを開始して画像データを発側へと送信し、発側ＩＰカメラ電話機１−１が、この画像データを表示部に表示することによって、通話状態となる前に着側の様子を知ることができる機能である。
【００７１】
発信者確認機能は、発側ＩＰカメラ電話機１−１が、着側ＩＰカメラ電話機１−５からＡＬＥＲＴ受信後、Ｓ１０〜Ｓ１２でカメラ画像の取り込みを開始した画像データを着側ＩＰカメラ電話機１−５へ送信し、着側ＩＰカメラ電話機１−５が受信した画像を表示部に表示することによって、通話状態になる前に発信者を映像によって確認することができる。
【００７２】
表示画像切替機能は、着信時に、着側ＩＰカメラ電話機１−５が発側ＩＰカメラ電話機に対して同一ネットワーク上にある監視用カメラ３−２や画像サーバ５からの画像を中継させていた場合、着信の応答により中継中の画像送信を停止し、着側ＩＰカメラ電話機１−５に付随するカメラの画像を発側ＩＰカメラ電話機１−１へと送信するように切り替える機能である。
【００７３】
遠隔制御機能は、着側ＩＰカメラ電話機１−５において、発側ＩＰカメラ電話機１−１からのコマンド制御によってＶｏＩＰエンドポイント制御で接続する映像を、（１）自分自身のＩＰカメラ電話機に設けたカメラの画像、（２）システムに接続されている監視用カメラ３−２の画像、（３）ＬＡＮに設けた画像サーバ５の映像のいずれかを選択する機能である。この機能は、着信時動画取り出し処理（Ｓ７）において働く。
【００７４】
広告配信機能は、応答待ち時に、発側ＩＰカメラ電話機１−１に対して、ＲＢＴに代えてまたは同時に、画像サーバ５からの広告画像を送信して表示する機能である。この機能は、着信時動画取り出し処理（Ｓ７）において働く。
【００７５】
このように、本発明は、ＬＡＮを介して接続された画像表示機能付きＩＰカメラ電話機間で通話するに当たって、発側ＩＰカメラ電話機で発信操作がなされ、着側ＩＰカメラ電話機にＳＥＴＵＰ信号を送信し、着側ＩＰカメラ電話機から発側ＩＰカメラ電話機へＡＬＥＲＴ信号を送出した段階で、ＲＴＰを用いて画像信号を双方向に送受信して相手側の画像を自己の表示部に表示させることができる。
【００７６】
【発明の効果】
本発明によれば、ＬＡＮを介して接続された画像表示機能付きＩＰカメラ電話機間で、着信時に、応答前に相手側を視覚的に確認することができる。
【００７７】
着側に表示されるのが端末情報の場合は、使用者と端末装置が一致しているとは限らないが、発側の画像が表示されるので、使用者を特定することができる。
【００７８】
着側では、発信者を視覚的に確認した上で対応を取ることができる。
【００７９】
発側に室内の映像を送るように設定することで、発信者はかけた相手の在／不在を確認することができる。
【図面の簡単な説明】
【図１】
本発明にかかる画像表示機能付きＩＰカメラ電話機を用いた通信システムの構成を説明する図。
【図２】
画像表示機能付きＩＰカメラ電話機の構造を説明する概念図。
【図３】
本発明にかかる画像表示機能付きＩＰカメラ電話機の機能構成を説明する図。
【図４】
本発明にかかる画像表示機能付きＩＰカメラ電話機を用いた接続処理を説明する図。
【図５】
従来の画像表示機能付きＩＰカメラ電話機の機能構成を説明する図。
【符号の説明】
１  ＩＰカメラ電話機
２  外部カメラ
１０  主制御部
１１  メモリ
１２  マンマシンインタフェース
１３  ハンドセット
１４  画像制御部
１５  表示部
１６  カメラインタフェース
１７  カメラ
１８  ＬＡＮ制御部
１９  ＬＡＮインタフェース
２０  入力手段
３  監視用カメラ
５  画像サーバ
１０Ｆ  主制御機能
１２Ｆ１  キー入力制御機能
１２Ｆ２  音声制御機能
１４Ｆ１  表示制御機能
１４Ｆ２  画像入力機能
１４Ｆ３  画像伝送制御機能
１８Ｆ１  ＴＣＰ／ＩＰ制御機能
１８Ｆ２  呼制御機能
１８Ｆ３  ＶｏＩＰ制御機能
１９Ｆ  ＬＡＮ制御機能
【手続補正２】
【補正対象書類名】図面
【補正対象項目名】図３
【補正方法】変更
【補正の内容】
【図３】
2004072441.tif 000001
【手続補正３】
【補正対象書類名】図面
【補正対象項目名】図５
【補正方法】変更
【補正の内容】
【図５】
2004072441.tif 000002